(57)【要約】【課題】  人由来のダニ誘引物質及び人由来のダニ誘引物質前駆体の洗浄効果に優れた洗浄剤組成物を提供する。【解決手段】  （ａ）陰イオン界面活性剤、（ｂ）非イオン界面活性剤、（ｃ）蛋白質分解酵素、（ｄ）炭水化物及び／又は炭水化物誘導体、（ｅ）水溶性無機塩を、それぞれ特定比率で含有し、カルシウム捕捉量が３０〜２００ＣａＣＯ3ｍｇ／ｇである、人由来のダニ誘引物質及び人由来のダニ誘引物質前駆体の洗浄剤組成物。【選択図】  なし【特許請求の範囲】
【請求項１】
（ａ）陰イオン界面活性剤１０〜３０質量％、
（ｂ）非イオン界面活性剤２〜１５質量％、
（ｃ）蛋白質分解酵素０．００１〜２質量％、
（ｄ）炭水化物及び／又は炭水化物誘導体０．００１〜１０質量％、
（ｅ）水溶性無機塩２５〜５０質量％、
を含有し、
（ａ）と（ｂ）の質量比が（ａ）／（ｂ）で１０／１〜１０／１２、
（ａ）と（ｂ）の合計量が１５〜４０質量％、
（ｃ）と（ｄ）の質量比が（ｃ）／（ｄ）で２／１以下、
（ａ）と（ｂ）の合計量と（ｅ）成分の質量比が〔（ａ）＋（ｂ）〕／（ｅ）で４／３〜１／３、
（ａ）、（ｂ）、（ｅ）の合計量が５０〜８０質量％、
組成物のカルシウム捕捉量３０〜２００ＣａＣＯ3ｍｇ／ｇ
である、人由来のダニ誘引物質及び人由来のダニ誘引物質前駆体の洗浄剤組成物。
【請求項２】
更に（ｆ）ホウ酸及び／又はホウ酸塩を含有する請求項１記載の人由来のダニ誘引物質及び人由来のダニ誘引物質前駆体の洗浄剤組成物。
【請求項３】
更に、セドレン、セドロール、ツヨプセン、セドリルアセテート、セドリルフォルメート、セドリルメチルエーテル、アセチルセドレン、β−カリオフィレン、α，β−サンタロール、２−メチル−４−（２，２，３−トリメチル−３−シクロペンテン−１−イル）−２−ブテン−１−オール、ベチベロール、ベチベリルアセテート、パチョリアルコール、セダーウッドオイル、セダーリーフオイル、ヒノキオイル、ヒバオイル、コパイババルサムオイル、サンダルウッドオイル、ベチバーオイル、パチョリオイル、４−（４−ヒドロキシ−４−メチルペンチル）−３−シクロヘキセン−１−カルボキシアルデヒド、ｉｓｏ−ボロニルシクロヘキサノール、ｉｓｏ−カンフィルシクロヘキサノール、ｉｓｏ−フェンシルシクロヘキサノール、フェニルアセトアルデヒドグリセリルアセタール、α−メチル−３，４−メチレンジオキシヒドロシンナミックアルデヒド、α−メチル−３，４−メチレンジオキシヒドロシンナミックアルデヒドのシッフ塩基、２−メチル−３−（ｐ−メトキシフェニル）プロパナール、エチルシンナメート、メチルシンナメート、シンナミルアセテート、シンナミックアルコール、ヘキシルシンナミックアルデヒド、α−アミルシンナミックアルデヒド、エチルオイゲノール、メチルオイゲノール、ｐ−ｔ−ブチル−α−メチルヒドロシンナミックアルデヒド、ｃｉｓ−３−ヘキセニルサリチレート、β−ナフトールエチルエーテル、β−ナフトールメチルエーテル、ジャスモン、ジヒドロジャスモン、ジャスモン酸低級アルキルエステル、ジヒドロジャスモン酸低級アルキルエステル、ファルネソール、ネロリドール、フィトール、イソフィトール、ゲラニルゲラニオール、ゲラニルリナロールから選ばれる１種以上を含有する（ｇ）香料を含有する請求項１又は２記載の人由来のダニ誘引物質及び人由来のダニ誘引物質前駆体の洗浄剤組成物。
【請求項４】
（ａ）陰イオン界面活性剤１０〜３０質量％、
（ｂ）非イオン界面活性剤２〜１５質量％、
（ｃ）蛋白質分解酵素０．００１〜２質量％、
（ｄ）炭水化物及び／又は炭水化物誘導体０．００１〜１０質量％、
（ｅ）水溶性無機塩２５〜５０質量％、
を含有し、
（ａ）と（ｂ）の質量比が（ａ）／（ｂ）で１０／１〜１０／１２、
（ａ）と（ｂ）の合計量が１５〜４０質量％、
（ｃ）と（ｄ）の質量比が（ｃ）／（ｄ）で２／１以下、
（ａ）と（ｂ）成分の合計量と（ｅ）成分の質量比が〔（ａ）＋（ｂ）〕／（ｅ）で４／３〜１／３、
（ａ）、（ｂ）、（ｅ）の合計量が５０〜８０質量％、
組成物のカルシウム捕捉量３０〜２００ＣａＣＯ3ｍｇ／ｇ
であるダニ誘引緩和用洗浄剤組成物。
【請求項５】
（ａ）陰イオン界面活性剤１０〜３０質量％、
（ｂ）非イオン界面活性剤２〜１５質量％、
（ｃ）蛋白質分解酵素０．００１〜２質量％、
（ｄ）炭水化物及び／又は炭水化物誘導体０．００１〜１０質量％、
（ｅ）水溶性無機塩２５〜５０質量％、
を含有し、
（ａ）と（ｂ）の質量比が（ａ）／（ｂ）で１０／１〜１０／１２、
（ａ）と（ｂ）の合計量が１５〜４０質量％、
（ｃ）と（ｄ）の質量比が（ｃ）／（ｄ）で２／１以下、
（ａ）と（ｂ）成分の合計量と（ｅ）成分の質量比が〔（ａ）＋（ｂ）〕／（ｅ）で４／３〜１／３、
（ａ）、（ｂ）、（ｅ）の合計量が５０〜８０質量％、
組成物のカルシウム捕捉量３０〜２００ＣａＣＯ3ｍｇ／ｇ
である洗浄剤組成物による、人由来のダニ誘引物質及び人由来のダニ誘引物質前駆体の除去方法。
【発明の詳細な説明】
【技術分野】
【０００１】
本発明は人由来のダニ誘引物質及び人由来のダニ誘引物質前駆体の洗浄剤組成物、人由来のダニ誘引物質及び人由来のダニ誘引物質前駆体の除去方法、ダニ誘引緩和用洗浄剤組成物に関する。
【背景技術】
【０００２】
近年の住宅の高密閉化による室内空間の高温多湿化に伴い、布団、ソファー及びマット等にダニやカビ等が繁殖し易い環境となり、その人体への影響が問題となってきている。そして住居内のダニは、気管支喘息、アレルギー鼻炎等のアレルギー性疾患や、皮膚炎の原因となるため種々の防除剤が開発されている。
【０００３】
ダニ防除剤としては、ピレスロイド系、カーバメイト系、有機リン系等の各種薬剤が使用されているが、これらの薬剤は毒性が高く、住居内、特に小児のいる家庭では安全性上好ましいものではなかった。またこれら従来のダニ防除剤は、揮散性が少ないので、直接塗布した場所では効果が得られたとしても、カーペットやソファー、布団の内部等の通気性の悪い場所では、特に効果が弱かった。
【０００４】
また、ダニの死骸や糞もアレルゲン物質であることから、ダニを直接殺すだけでなく、忌避作用の強い防除剤が求められている。ダニ忌避剤として、安全性が比較的高いと考えられる植物精油成分のリナロールやカルボンを用いたダニ駆除剤（特許文献１、２）が提案されているが、これらの効果も充分ではなかった。
【０００５】
また、防除剤を用いない防虫材料として、特許文献３には、１デニール以下の極細繊維からなる綿、或いは表面が綿状であるか又は表面が起毛ないし植毛されている織布又は不織布を含むダニ防除具が記載されている。また、特許文献４、５には、繊維集合体の外周部に所定の繊維間隔の極細繊維層を配してなる防虫性繊維構造物が記載されている。また、特許文献６には、所定の繊維間隙、所定の繊維径、及び所定の繊維充填率を有する不織布からなる畳床用防虫シートが記載されている。更に、特許文献７には、ポリプロピレン系重合体からなる極細繊維不織布層の両面にポリプロピレン系重合体からなる長繊維不織布層が積層一体化されてなる耐アレルゲン性寝具カバーが記載されている。
【０００６】
しかしながら、上記各公報に記載の防虫材料は、極細繊維を使用しているので、寝具や家具等のカバー材としては肌触りが良くなく、また繊維中にダニが残るという欠点があった。
【０００７】
また、特許文献８、９、１０には、ダニ誘引物質を用い、誘引されてきたダニを駆除する方法が記載されている。しかし、駆除しきれなかった場合、かえってダニを集めるだけになり不都合が多かった。人の分泌物或いは人の分泌物の酸化物の中にはダニ誘引物質が多く存在するため、人と直接接する寝具類では、公知の方法によるダニ誘引駆除効果はあまり期待できなかった。
【０００８】
また、特許文献１１、１２には、ダニ忌避物質によるダニ駆除方法が記載されている。しかし、ダニ誘引物質の存在下におけるダニ忌避効果は多くを望めなかった。
【０００９】
一方、近年の洗濯機は、環境・エネルギー問題や経済性への対応から、高浴比（衣料／洗浄水）化、運転時間の短縮化、低動力撹拌化等の傾向にあり、従来知られている洗浄剤組成物では、人由来のダニ誘引物質及び人由来のダニ誘引物質前駆体を十分に洗浄できない傾向にある。このため、低機械力でも人由来のダニ誘引物質及び人由来のダニ誘引物質前駆体に対する洗浄力の高い洗浄剤が求められている。特許文献１３には、脂質分解酵素を配合した、皮脂の蓄積汚れに優れる洗浄剤が記載されているが、脂質の分解によりかえって、ノナナール等の人由来のダニ誘引物質の増加となり、好ましくない。
【特許文献１】特開昭６３−１０４９０５号公報
【特許文献２】特開平１０−８７４０９号公報
【特許文献３】特開平３−８００３７号公報
【特許文献４】特開平４−２８９２５６号公報
【特許文献５】特開平４−２８９２７７号公報
【特許文献６】特開平５−１４０８５１号公報
【特許文献７】特開平７−２４６１４４号公報
【特許文献８】特開２００２−３０８７０６号公報
【特許文献９】特開２００２−２５３１０３号公報
【特許文献１０】特開２００３−２６５０８号公報
【特許文献１１】特開平６−１６５１５号公報
【特許文献１２】特開２００１−２９４５０５号公報
【特許文献１３】特開２００１−６４６９６号公報
【発明の開示】
【発明が解決しようとする課題】
【００１０】
本発明の課題は、人由来のダニ誘引物質及び人由来のダニ誘引物質前駆体の洗浄剤組成物、人由来のダニ誘引物質及び人由来のダニ誘引物質前駆体の除去方法、ダニ誘引緩和用洗浄剤組成物を提供することにある。
【課題を解決するための手段】
【００１１】
本発明は、
（ａ）陰イオン界面活性剤〔以下、（ａ）成分という〕１０〜３０質量％、
（ｂ）非イオン界面活性剤〔以下、（ｂ）成分という〕２〜１５質量％、
（ｃ）蛋白質分解酵素〔以下、（ｃ）成分という〕０．００１〜２質量％、
（ｄ）炭水化物及び／又は炭水化物誘導体〔以下、（ｄ）成分という〕０．００１〜１０質量％、
（ｅ）水溶性無機塩〔以下、（ｅ）成分という〕２５〜５０質量％、
を含有し、
（ａ）と（ｂ）の質量比が（ａ）／（ｂ）で１０／１〜１０／１２、
（ａ）と（ｂ）の合計量が１５〜４０質量％、
（ｃ）と（ｄ）の質量比が（ｃ）／（ｄ）で２／１以下、
（ａ）と（ｂ）の合計量と（ｅ）成分の質量比が〔（ａ）＋（ｂ）〕／（ｅ）で４／３〜１／３、
（ａ）、（ｂ）、（ｅ）の合計量が５０〜８０質量％、
組成物のカルシウム捕捉量３０〜２００ＣａＣＯ3ｍｇ／ｇ
である、人由来のダニ誘引物質及び人由来のダニ誘引物質前駆体の洗浄剤組成物に関する。
【００１２】
また、本発明は、
（ａ）成分１０〜３０質量％、
（ｂ）成分２〜１５質量％、
（ｃ）成分０．００１〜２質量％、
（ｄ）成分０．００１〜１０質量％、
（ｅ）成分２５〜５０質量％、
を含有し、
（ａ）成分と（ｂ）成分の質量比が（ａ）／（ｂ）で１０／１〜１０／１２、
（ａ）成分と（ｂ）成分の合計量が１５〜４０質量％、
（ｃ）成分と（ｄ）成分の質量比が（ｃ）／（ｄ）で２／１以下、
（ａ）成分と（ｂ）成分の合計量と（ｅ）成分の質量比が〔（ａ）＋（ｂ）〕／（ｅ）で４／３〜１／３、
（ａ）成分、（ｂ）成分、（ｅ）成分の合計量が５０〜８０質量％、
組成物のカルシウム捕捉量３０〜２００ＣａＣＯ3ｍｇ／ｇ
であるダニ誘引緩和用洗浄剤組成物に関する。
【００１３】
また、本発明は、
（ａ）成分１０〜３０質量％、
（ｂ）成分２〜１５質量％、
（ｃ）成分０．００１〜２質量％、
（ｄ）成分０．００１〜１０質量％、
（ｅ）成分２５〜５０質量％、
を含有し、
（ａ）成分と（ｂ）成分の質量比が（ａ）／（ｂ）で１０／１〜１０／１２、
（ａ）成分と（ｂ）成分の合計量が１５〜４０質量％、
（ｃ）成分と（ｄ）成分の質量比が（ｃ）／（ｄ）で２／１以下、
（ａ）成分と（ｂ）成分の合計量と（ｅ）成分の質量比が〔（ａ）＋（ｂ）〕／（ｅ）で４／３〜１／３、
（ａ）成分、（ｂ）成分、（ｅ）成分の合計量が５０〜８０質量％、
組成物のカルシウム捕捉量３０〜２００ＣａＣＯ3ｍｇ／ｇ、
である洗浄剤組成物による、人由来のダニ誘引物質及び人由来のダニ誘引物質前駆体の除去方法に関する。
【発明の効果】
【００１４】
本発明によれば、人由来のダニ誘引物質及び人由来のダニ誘引物質前駆体の洗浄効果に優れた洗浄剤組成物ないしダニ誘引緩和用洗浄剤組成物が得られる。
【発明を実施するための最良の形態】
【００１５】
本発明の組成物は、いずれも組成物のカルシウム捕捉量が３０〜２００ＣａＣＯ3ｍｇ／ｇである。ここで、カルシウム捕捉量は次の方法で求められるものをいう。
（カルシウム捕捉量の測定方法）
カルシウム捕捉量（Ｃａ捕捉量）は、特開平3−277696号公報3頁右下欄6行目から4頁左上欄6行目記載の方法（但し、陰イオン性界面活性剤を洗浄剤組成物と読み替える）により求める。
【００１６】
人由来のダニ誘引物質及び人由来のダニ誘引物質前駆体の除去性の点で、カルシウム捕捉量は、４０〜１５０ＣａＣＯ3ｍｇ／ｇが好ましく、５０〜１００ＣａＣＯ3ｍｇ／ｇがより好ましい。
【００１７】
本発明の組成物のＪＩＳ Ｋ ３３６２：１９９８により規定された方法で測定する見掛け密度は、利便性や廃棄物（例えば、箱等）を低減する観点から、６００ｇ／Ｌ以上が好ましく、７００ｇ／Ｌ以上がより好ましく、８００ｇ／Ｌ以上が更に好ましい。また、溶解性の点で、見掛け密度は１６００ｇ／Ｌ以下が好ましく、１３００ｇ／Ｌ以下がより好ましく、１０００ｇ／Ｌ以下が更に好ましい。
【００１８】
ＪＩＳ Ｚ ８８０１の標準篩を用いて５分間振動させた後、篩目のサイズによる質量分率から求める本発明の洗浄剤組成物の平均粒径は、溶解性に優れる観点から、１５０〜７００μｍが好ましく、より好ましくは１５０〜６００μｍ、更に好ましくは１８０〜４００μｍである。
【００１９】
洗浄剤組成物は、携帯性や簡便性の点で、一回の使用量を分包包装しても良く、また、圧縮成型して錠剤型にして包装しても良い。この時包装材料が水溶性であることが好ましい。
【００２０】
人由来のダニ誘引物質としては、デカン酸、パルミチン酸、オレイン酸、酢酸、４−メチル−３−ペンテン−２−オン、６−メチル−５−ヘプテン−２−オン、ペプタナール、オクタナール、ノナナール、デカナール、リモネン等が挙げられる。人由来のダニ誘引物質前駆体としては、酸化等により前記ダニ誘引物質になる化合物が挙げられる。特に除去すべき人由来のダニ誘引物質及び人由来のダニ誘引物質前駆体としては、酢酸、４−メチル−３−ペンテン−２−オン、ペプタナール、ノナナール、リモネン及びこれらの前駆体が挙げられる。最も除去すべき人由来のダニ誘引物質及び人由来のダニ誘引物質前駆体としては、ノナナール及びこの前駆体であるオレイン酸、トリオレイン、ジオレインである。
＜（ａ）成分＞
本発明の組成物は（ａ）成分として陰イオン界面活性剤を１０〜３０質量％含有する。人由来のダニ誘引物質及び人由来のダニ誘引物質前駆体の除去性の点で、１２〜２８質量％が好ましく、１５〜２５質量％がより好ましい。
【００２１】
（ａ）成分として、アルキルベンゼンスルホン酸塩、アルキル又はアルケニルエーテル硫酸エステル塩、アルキル又はアルケニル硫酸エステル塩、α−オレフィンスルホン酸塩、α−スルホ脂肪酸塩若しくはそのエステル、アルキル又はアルケニルエーテルカルボン酸塩、脂肪酸塩等が挙げられる。中でも、人由来のダニ誘引物質及び人由来のダニ誘引物質前駆体の除去性の点で、α−スルホ脂肪酸塩若しくはそのエステルを含有することが好ましい。対イオンとしてアルカリ金属イオンが洗浄力向上の点で好適である。特に、溶解速度向上の観点から、カリウムイオンが好ましく、全対イオン中カリウムイオンは５質量％以上が好ましく、２０質量％以上がより好ましく、４０質量％以上が特に好ましい。
＜（ｂ）成分＞
本発明の組成物は（ｂ）成分として非イオン界面活性剤を２〜１５質量％含有する。人由来のダニ誘引物質及び人由来のダニ誘引物質前駆体の除去性の点で、３〜１５質量％が好ましく、５〜１２質量％がより好ましい。
【００２２】
（ｂ）成分として、人由来のダニ誘引物質及び人由来のダニ誘引物質前駆体の除去性の点で、融点が４０℃以下のものが好ましく、より好ましくは３０℃以下、特に好ましくは２５℃以下である。融点は、ＦＰ８００サーモシステムのメトラーＦＰ８１（Ｍｅｔｔｌｅｒ Ｉｎｓｔｒｕｍｅｎｔｅ ＡＧ製）を用い、昇温速度０．２℃／ｍｉｎで測定される。例えば洗浄力の点から、ポリオキシアルキレンアルキルエーテル、ポリオキシアルキレンアルキルフェニルエーテル、ポリオキシアルキレンソルビタン脂肪酸エステル、ポリオキシアルキレングリコール脂肪酸エステル、ポリオキシエチレンポリオキシプロピレンブロックポリマーが好ましい。特に炭素数１０〜１８のアルコールにエチレンオキシド（以下、ＥＯと表記する）を平均で４〜２０モル付加したポリオキシエチレンアルキルエーテルや、前記アルコールにＥＯを平均で４〜２０モル、プロピレンオキシド（以下、ＰＯと表記する）を平均で０．３〜４モル付加したもの、その中でもＥＯ・ＰＯ・ＥＯの順にブロック付加したものが好ましい。また、（ｂ）成分は、グリフィン（Ｇｒｉｆｆｉｎ）法に基づくＨＬＢが６．５〜１４．０のものが好ましい。
【００２３】
本発明の組成物において、（ａ）成分と（ｂ）成分の合計量は１５〜４０質量％であり、人由来のダニ誘引物質及び人由来のダニ誘引物質前駆体の除去性の点で、２０〜３５質量％が好ましく、２５〜３３質量％がより好ましい。
【００２４】
本発明の組成物において、（ａ）成分と（ｂ）成分の質量比は、（ａ）／（ｂ）で１０／１〜１０／１２であり、人由来のダニ誘引物質及び人由来のダニ誘引物質前駆体の除去性の点で、１０／８〜１０／１．５が好ましく、１０／７〜１０／３がより好ましい。
＜（ｃ）成分＞
本発明の組成物は（ｃ）成分として蛋白分解酵素を０．００１〜２質量％含有する。人由来のダニ誘引物質及び人由来のダニ誘引物質前駆体の除去性の点で、０．００５〜２質量％が好ましく、０．０１〜２質量％がより好ましい。（ｃ）成分は安定性等のために個別に造粒物で添加するのが好ましく、酵素原末は酵素造粒物中に０．５〜１５質量％含有されることが好ましい。
【００２５】
（ｃ）成分として、パパイン、ブロメライン、グラヂン、フィシン等の植物由来のプロテアーゼ、トリプシン、キモトリプシン、パンクレアチン等の動物由来のプロテアーゼ、バチルス属等の細菌が生産する細菌プロテアーゼ等の微生物由来のプロテアーゼ等の何れも使用することができる。
＜（ｄ）成分＞
本発明の組成物は（ｄ）成分として炭水化物及び／又は炭水化物誘導体を０．００１〜１０質量％含有する。人由来のダニ誘引物質及び人由来のダニ誘引物質前駆体の除去性の点で、０．００５〜８質量％が好ましく、０．０１〜６質量％がより好ましい。
【００２６】
（ｄ）成分として、グルコース、ガラクトース、フコース、キシロース、マルトース、ラクトース、フルクトース、β−シクロデキストリン、スクロース、トレハロース、ラフィノース、スタキオース、α−メチル−Ｄ−グルコシド、ソルビトール、マンニトール、マンノース、２−デスオキシ−Ｄ−リボース、Ｄ−グルコサミン、アセチルガラクトサミン、アセチルグルコサミン、等が挙げられる。人由来のダニ誘引物質及び人由来のダニ誘引物質前駆体の除去性の点で、単糖〜六糖類が好ましく、単糖〜三糖類がより好ましく、二糖類が更に好ましい。
【００２７】
本発明の組成物は、（ｃ）成分と（ｄ）成分の質量比は２／１以下であり、人由来のダニ誘引物質及び人由来のダニ誘引物質前駆体の除去性の点で、１／１以下が好ましく、１／２以下が更に好ましく、１／５以下が特に好ましい。
＜（ｅ）成分＞
本発明の組成物は（ｅ）成分として水溶性無機塩を２５〜５０質量％含有する。人由来のダニ誘引物質及び人由来のダニ誘引物質前駆体の除去性の点で、２８〜４５質量％が好ましく、３０〜４０質量％がより好ましい。ここで、水溶性無機塩とは、蒸留水に対する溶解度が０．５ｇ／１５ｇ（２５℃、蒸留水）以上の無機塩をいうものとする。
【００２８】
（ｅ）成分として、塩化ナトリウム、塩化カリウム、硫酸ナトリウム、硫酸カリウム、亜硫酸ナトリウム、亜硫酸カリウム、亜硫酸水素ナトリウム、塩化アンモニウム、硫酸アンモニウム、炭酸ナトリウム、炭酸カリウム、炭酸水素ナトリウム、１号ケイ酸ナトリウム、２号ケイ酸ナトリウム、３号ケイ酸ナトリウム、四ホウ酸ナトリウム、ピロリン酸ナトリウム、トリポリリン酸ナトリウム、水酸化ナトリウム、水酸化カリウムなどの一種以上が挙げられる。この中でも亜硫酸ナトリウム、亜硫酸カリウム、炭酸ナトリウム、炭酸カリウム、炭酸水素ナトリウム、１号ケイ酸ナトリウム、２号ケイ酸ナトリウム、３号ケイ酸ナトリウム、四ホウ酸ナトリウム、ピロリン酸ナトリウム、トリポリリン酸ナトリウム、水酸化ナトリウム、水酸化カリウムなどの一種以上が人由来のダニ誘引物質及び人由来のダニ誘引物質前駆体の除去性の点で好ましい。このうち、無水物として０．５ｇを蒸留水１５ｇに溶解させた水溶液のｐＨ（２５℃、電極法）が１０以上を示す水溶性無機塩、すなわち、炭酸ナトリウム、炭酸カリウム、ピロリン酸ナトリウム、トリポリリン酸ナトリウム、１号ケイ酸ナトリウム、２号ケイ酸ナトリウム、３号ケイ酸ナトリウム、水酸化ナトリウム、水酸化カリウムが人由来のダニ誘引物質及び人由来のダニ誘引物質前駆体の除去性の点でより好ましい。更に、ｐＨ８〜１２の範囲において単位質量当たりのアルカリ緩衝能に優れる化合物、即ち、その化合物の０．０２５質量％水溶液（蒸留水）のｐＨ値（２５℃、電極法）をＰｉとした場合、Ｐｉが９以上であり、かつその水溶液に０．１規定の塩酸を滴下し、水溶液のｐＨ値が（Ｐｉ−１）となるのに要した塩酸の滴下量が３ｍＬを上回る化合物が好ましく、そのような緩衝能を有する化合物としては、炭酸ナトリウム、炭酸カリウム、１号ケイ酸ナトリウム、ピロリン酸ナトリウム、トリポリリン酸ナトリウムから選ばれる一種以上が、人由来のダニ誘引物質及び人由来のダニ誘引物質前駆体の除去性の点で更に好ましい。更に、炭酸ナトリウムが経済性の点から最も好ましい。
【００２９】
本発明の組成物において、（ａ）成分と（ｂ）成分と（ｅ）成分の合計量は５０〜８０質量％であり、人由来のダニ誘引物質及び人由来のダニ誘引物質前駆体の除去性の点で、５５〜７５質量％が好ましく、６０〜７０質量％がより好ましい。
【００３０】
本発明の組成物において、（ａ）成分と（ｂ）成分の合計量と、（ｅ）成分の質量比は〔（ａ）＋（ｂ）〕／（ｅ）で４／３〜１／３であり、人由来のダニ誘引物質及び人由来のダニ誘引物質前駆体の除去性の点で、４／３．５〜１／２．５が好ましく、１／１〜１／２がより好ましい。
＜（ｆ）成分＞
本発明の組成物は（ｆ）成分としてホウ酸及び／又はホウ酸塩を含有することが、人由来のダニ誘引物質及び人由来のダニ誘引物質前駆体の除去性の点で好ましく、含有量は０．０１〜１０質量％がより好ましく、０．０５〜５質量％が更に好ましい。
【００３１】
人由来のダニ誘引物質及び人由来のダニ誘引物質前駆体の除去性の点で、（ｃ）成分と（ｆ）成分の質量比は、（ｃ）／（ｆ）で１／１以下が好ましく、１／２以下がより好ましく、１／５以下が更に好ましく、１／１０以下が特に好ましい。
＜（ｇ）成分＞
本発明の組成物は（ｇ）成分として、セドレン、セドロール、ツヨプセン、セドリルアセテート、セドリルフォルメート、セドリルメチルエーテル、アセチルセドレン、β−カリオフィレン、α，β−サンタロール、２−メチル−４−（２，２，３−トリメチル−３−シクロペンテン−１−イル）−２−ブテン−１−オール、ベチベロール、ベチベリルアセテート、パチョリアルコール、セダーウッドオイル、セダーリーフオイル、ヒノキオイル、ヒバオイル、コパイババルサムオイル、サンダルウッドオイル、ベチバーオイル、パチョリオイル、４−（４−ヒドロキシ−４−メチルペンチル）−３−シクロヘキセン−１−カルボキシアルデヒド、ｉｓｏ−ボロニルシクロヘキサノール、ｉｓｏ−カンフィルシクロヘキサノール、ｉｓｏ−フェンシルシクロヘキサノール、フェニルアセトアルデヒドグリセリルアセタール、α−メチル−３，４−メチレンジオキシヒドロシンナミックアルデヒド、α−メチル−３，４−メチレンジオキシヒドロシンナミックアルデヒドのシッフ塩基、２−メチル−３−（ｐ−メトキシフェニル）プロパナール、エチルシンナメート、メチルシンナメート、シンナミルアセテート、シンナミックアルコール、ヘキシルシンナミックアルデヒド、α−アミルシンナミックアルデヒド、エチルオイゲノール、メチルオイゲノール、ｐ−ｔ−ブチル−α−メチルヒドロシンナミックアルデヒド、ｃｉｓ−３−ヘキセニルサリチレート、β−ナフトールエチルエーテル、β−ナフトールメチルエーテル、ジャスモン、ジヒドロジャスモン、ジャスモン酸低級アルキルエステル、ジヒドロジャスモン酸低級アルキルエステル、ファルネソール、ネロリドール、フィトール、イソフィトール、ゲラニルゲラニオール、ゲラニルリナロールから選ばれる１種以上を含有する香料を含有することがダニ再付着防止の点で好ましい。
＜その他成分＞
本発明の組成物には、衣料用洗剤の分野で公知のビルダー、漂白剤（過炭酸塩、過ホウ酸塩、漂白活性化剤等）、再汚染防止剤（カルボキシメチルセルロース等）、柔軟化剤、還元剤（亜硫酸塩等）、蛍光増白剤、抑泡剤（シリコーン等）、香料、両性界面活性剤、陽イオン性界面活性剤、その他の酵素（セルラーゼ、ペクチナーゼ、アミラーゼ、リパーゼ（好ましくは添加しない）等）等の添加剤を含有させることができる。
【００３２】
洗浄性能の点で、更に（ｈ）水溶性ポリマーを０．５〜２０質量％含有することが好ましく、１〜１５質量％がより好ましく、３〜１０質量％が更に好ましい。
【００３３】
（ｈ）水溶性ポリマーとしては、２５℃の水１００ｇに対する溶解度が０．５ｇ以上且つ分子量１千以上の有機性重合体であり、例えばポリアルキレングリコール、カルボン酸系ポリマー、カルボキシメチルセルロース、可溶性澱粉、糖類等が挙げられる。中でも金属イオン封鎖能、固体汚れ・粒子汚れの分散能及び再汚染防止能の点で分子量が数千〜１０万のカルボン酸系ポリマー及びポリエチレングリコールが好ましい。特に、アクリル酸−マレイン酸コポリマーの塩、ポリアクリル酸塩及びポリエチレングリコールが好ましい。ここで、塩としてはナトリウム塩、カリウム塩、アンモニウム塩が挙げられる。
【００３４】
本発明の組成物は、流動性及び非ケーキング性の点で、表面被覆剤により表面改質を行うことが好ましい。表面被覆剤は組成物中１〜３０質量％が好ましく、２〜２５質量％がより好ましく、５〜２５質量％が更に好ましい。表面被覆剤としては、例えば、アルミノケイ酸塩、ケイ酸カルシウム、二酸化ケイ素、ベントナイト、タルク、クレイ、非晶質シリカ誘導体、結晶性シリケート化合物等のシリケート化合物、金属石鹸、粉末の界面活性剤等の微粉体、カルボキシメチルセルロース、ポリエチレングリコール、ポリアクリル酸ソーダ、アクリル酸とマレイン酸のコポリマー又はその塩等のポリカルボン酸塩等の水溶性ポリマー；脂肪酸が挙げられる。中でもシリケート化合物が好ましく、特に結晶性アルミノケイ酸塩、非晶質アルミノケイ酸塩、結晶性シリケート化合物が好ましい。
【００３５】
本発明の洗浄剤組成物は、人由来のダニ誘引物質及び人由来のダニ誘引物質前駆体の除去性の点で、ＪＩＳ Ｋ ３３６２：１９９８による２５℃、０．１質量％水溶液のｐＨが７〜１２であることが好ましく、８〜１２がより好ましく、１０〜１１が更に好ましい。
【００３６】
本発明の洗浄剤組成物は、人由来のダニ誘引物質及び人由来のダニ誘引物質前駆体の除去性の点で、水中で過酸化水素を放出する化合物及び水中で過酸化水素と反応し有機過酸を発生する化合物を含有することが好ましい。洗浄性能、洗浄効率の点で水中で過酸化水素を放出する化合物は０．１〜８質量％が好ましく、０．５〜５質量％がより好ましく、１〜３．５質量％が更に好ましく、１．５〜２．８質量％が更に好ましく、水中で過酸化水素と反応し有機過酸を発生する化合物は０．１〜５質量％が好ましく、０．５〜３質量％がより好ましく、０．８〜２質量％が更に好ましい。水中で過酸化水素を放出する化合物としては、炭酸塩・過酸化水素付加物、硼酸塩・過酸化水素付加物、トリポリリン酸塩・過酸化水素付加物、ピロリン酸塩・過酸化水素付加物、尿素・過酸化水素付加物等が挙げられる。この中でも、炭酸塩・過酸化水素付加物、硼酸塩・過酸化水素付加物が好ましく、炭酸ナトリウム・過酸化水素付加物、硼酸ナトリウム・過酸化水素付加物がより好ましく、洗浄性能の点で炭酸ナトリウム・過酸化水素付加物が更に好ましい。水中で過酸化水素と反応し有機過酸を発生する化合物としては、酸素系漂白剤含有洗剤に一般的に用いられる、グルコースペンタアセテート、トリアセチン、Ｎ，Ｎ，Ｎ’，Ｎ’−テトラアセチルエチレンジアミン、テトラアセチルグリコリルウリル等の漂白活性化剤を使用することができるが、効果の点で、下記一般式（１）〜（４）で表される化合物の一種以上が好ましく、（１）又は（２）で表される化合物の一種以上がより好ましい。
【００３７】
【化１】
2005054124.tif 000002
【００３８】
〔式中、Ｒ1は炭素数４〜１３、好ましくは１０〜１３のアルキル基、Ｒ2は炭素数５〜１３、好ましくは７〜１１のアルキル基、Ｍは水素原子又はアルカリ金属、アルカリ土類金属、アンモニウム若しくはアルカノールアミンを示す。〕
【００３９】
【化２】
2005054124.tif 000003
【００４０】
〔式中、Ｒ3、Ｒ4、Ｒ5、Ｒ6、Ｒ7、Ｒ9、Ｒ10はそれぞれ独立してメチル基、エチル基又はヒドロキシエチル基であり、Ｒ8は炭素数２〜１０のアルキレン基であり、Ｘ-は陰イオン、好ましくはハロゲンイオン、炭素数１〜３のアルキル硫酸イオン、炭素数１〜１２の脂肪酸イオン、リン酸イオン、硫酸イオンを示す。〕
本発明の組成物を用いて通常の洗濯を行うことで、処理後の繊維製品においてダニ誘引が緩和されるので、本発明の組成物は、ダニ誘引緩和用洗浄剤組成物として用いることもできる。本発明の組成物を用いて、衣類や寝具などの繊維製品を処理（洗濯等）することで、人由来のダニ誘引物質及び人由来のダニ誘引物質前駆体の除去方法が提供される。
【実施例】
【００４１】
実施例１〜５、比較例１〜９
表１、２に示す成分のうち、（ａ）成分、（ｄ）成分、（ｅ）成分、（ｆ）成分、（ｈ）成分、ゼオライトの一部、蛍光染料を用いて、固形分４０質量％の水性スラリーを調製し、これを乾燥塔を用いてスプレー乾燥し、水分量３質量％の乾燥生地を得た。これを（ｂ）成分、結晶性シリケート、ゼオライトの一部、及び水分調整用の水と共に攪拌造粒し、ゼオライトの一部で表面被覆し、平均粒径４７０μｍ、見掛け密度８４０ｇ／Ｌの粒子を得た。更に得られた造粒物と（ｃ）成分、及び必要に応じて（ｇ）成分、過炭酸ナトリウム、ＬＯＢＳ、ＤＯＢＡを混合して、平均粒径４８０〜５２０μｍ、見掛け密度８２０ｇ／Ｌの洗浄剤組成物を得た。
【００４２】
表１、２に示す成分は以下のものを使用した。
・ＬＡＳ−Ｎａ：アルキル基の炭素数１２〜１４の直鎖アルキルベンゼンスルホン酸ナトリウム
・ＡＳ−Ｎａ：アルキル基の炭素数１２〜１６のアルキル硫酸エステルナトリウム
・ＡＯＳ−Ｎａ：アルキル基の炭素数１４〜１８のα−オレフィンスルホン酸ナトリウム
・α−ＳＦ：アルキル基の炭素数が１２〜１４のα−スルホ脂肪酸メチルエステルナトリウム
・石鹸：アルキル基の炭素数１４〜１８の脂肪酸ナトリウム
・ＡＥ１：アルキル基の炭素数が１２〜１４でＥＯ平均付加モル数が７であるポリオキシエチレンアルキルエーテル
・ＡＥ２：アルキル基の炭素数が１２〜１４でＥＯ平均付加モル数が１３であるポリオキシエチレンアルキルエーテル
・酵素：セルラーゼＫ（特開昭６３−２６４６９９号公報記載）、カンナーゼ２４ＴＫ（ノボ社製）、サビナーゼ６．０Ｔ（ノボ社製）を３：１：２の質量比で使用
・香料１：セドロール含有香料
・香料２：ツヨプセン含有香料
・ＡＡ／ＭＡコポリマー：アクリル酸マレイン酸コポリマー、ソカランＣＰ−５（ＢＡＳＦ製）
・ＣＭＣ：カルボキシメチルセルロース
・結晶性シリケート：プリフィード（トクヤマシルテック（株）製）
・過炭酸ナトリウム：炭酸ナトリウム過酸化水素付加物（特開２０００−２５６６９９号公報の段落００１９に記載の漂白剤粒子）
・ＬＯＢＳ：ラウロイルオキシベンゼンスルホン酸ナトリウム造粒物（特開２０００−２５６６９９号公報の段落００１８記載の漂白剤粒子）
・ＤＯＢＡ：デカノイルオキシ安息香酸ナトリウム造粒物（ＬＯＢＳと同様にして製造した。）
・蛍光染料：チノパールＣＢＳ−Ｘ（チバスペシャリティーケミカルス製）
ダニ誘引抑制効果は以下のようにして評価を行った。
１．供試ダニ
ヤケヒョウヒダニ（Dermatophagoides pteronyssinus)
２．試験方法
（２−１）
２２ｃｍ×１１ｃｍのガラス製皿の長手方向の一端に未洗浄の新品枕カバーを４ｃｍ角に裁断したものを２枚重ねて置き、他端に４ｃｍ角に裁断したろ紙を２枚重ねて置き、中心部に供試ダニ５００〜６００匹を置いた。これを飽和食塩水で相対湿度８５％以上に調整したプラスチック製密閉容器の中に置き、全暗状態で２５℃で保存した。２４時間後に枕カバー又はろ紙の表裏両面及び下の供試ダニの合計数を数えたところ、新品枕カバー及びろ紙に付着したダニ数は、それぞれ２６匹と２９匹であり、有意な差は認められず、枕カバー自体にはダニ誘引作用がないことを確認した。
（２−２）
中古枕カバーにダニ誘引物質が付着していることの確認を行うために、未洗浄の中古枕カバー〔（２−１）で用いたものを使用したもの〕とろ紙〔（２−１）で用いたものと同じもの〕を用いて上記（２−１）と同様の試験を行ったところ、中古枕カバーに付着したダニ数は４０３匹、ろ紙に付着したダニ数は３６匹であり、中古枕カバーにダニ誘引物質が付着していることを確認した。
（２−３）
ダニ誘引物質が付着していることを確認した中古枕カバーを４ｃｍ角に裁断したもの２枚を、表１に示す粉末の洗浄剤組成物を０．０８３３質量％、２０℃、１Ｌとなるように溶解した洗浄液を用いて、ターゴトメーターにて普通洗浄した（８０ｒｐｍ×１０分）。その後、水道水ですすぎ、乾燥させ、ダニ誘引試験のサンプルとした。このサンプルとろ紙〔（２−１）で用いたものと同じもの〕とを用いて上記（２−１）と同様の試験を行い、それぞれに付着したダニの合計数を数えた。結果を表１、２に示す。
【００４３】
【表１】
2005054124.tif 000004
【００４４】
【表２】
2005054124.tif 000005